(57)【特許請求の範囲】
【請求項１】
機体の前部に運転部を備えると共に、前記運転部の前側に、引き起し装置を有する刈取部を備えた刈取収穫機であって、
前記引き起し装置の前記運転部の側の上部の横外隣りに、側面視で引き起し装置の上部と重複する状態で、前照灯、方向指示器及び車幅灯として機能する縦長の右ライトを配設すると共に、前記引き起し装置の前記運転部とは反対側の上部の横外隣りに、側面視で引き起し装置の上部と重複する状態で、前照灯、方向指示器及び車幅灯として機能する縦長の左ライトを配設し、
前記最も右側に位置する引き起し装置の横外側に連設されて前記最も右側に位置する引き起し装置の右外側を覆う右カバーを、前記右ライトが前記右カバーの上部の横外側面に沿うように構成すると共に、前記最も左側に位置する引き起し装置の横外側に連設されて前記最も左側に位置する引き起し装置の左外側を覆う左カバーを、前記左ライトが前記左カバーの上部の横外側面に沿うように構成し、
前記右ライト及び前記左ライトの夫々は、前照灯を構成する複数のバルブと、前記複数のバルブの各々に対応する複数のリフレクタと、方向指示器を構成するバルブと、車幅灯を構成するバルブと、全ての前記バルブ及び前記リフレクタを前方から覆う一つの透明カバーと、を備え、
前記透明カバーは、機体前方に向く前面部と、前記前面部と連続的に形成され、機体横外方向に向く側面部とを有し、
前記右ライト及び前記左ライトの夫々において、前記複数のバルブのうちの一つのバルブと、前記複数のバルブのうちの別のバルブとを、前記透明カバーの内部に上下方向に位置ずれした状態で配備し、かつ、前記一つのバルブの光の向きと、前記別のバルブの光の向きとが異なるものとなるように、前記一つのバルブの向き又は前記別のバルブの向き又は前記リフレクタの向きを設定している刈取収穫機。
【請求項２】
前記右カバーの上に前記右ライトを配置すると共に、前記左カバーの上に前記左ライトを配置してある請求項１に記載の刈取収穫機。
【請求項３】
前記右ライトにおける前記透明カバーの前記側面部を、前記右カバーの外側面に沿うように構成すると共に、前記左ライトにおける前記透明カバーの前記側面部を、前記左カバーの外側面に沿うように構成してある請求項２に記載の刈取収穫機。
【請求項４】
前記透明カバーの前記前面部は、側面視において、前記引き起し装置の前面に沿うように形成してある請求項１から３の何れか一項に記載の刈取収穫機。
【請求項５】
前記右ライトにおける前記透明カバーの前記前面部は、側面視において、前記右カバーの前面に沿うように形成してあり、かつ、前記左ライトにおける前記透明カバーの前記前面部は、側面視において、前記左カバーの前面に沿うように形成してある請求項１から４の何れか一項に記載の刈取収穫機。
【請求項６】
前記右ライトは、前記前照灯を構成するバルブが前記刈取部の前記運転部の側のデバイダを照射するように構成してあり、かつ、前記左ライトは、前記前照灯を構成するバルブが前記刈取部の前記運転部とは反対側のデバイダを照射するように構成してある請求項１から５の何れか一項に記載の刈取収穫機。
【請求項７】
前記右ライトは、前記運転部の前方に位置させてある請求項１から６の何れか一項に記載の刈取収穫機。
【請求項８】
前記右カバーに形成された開口に前記右ライトを配置すると共に、前記左カバーに形成された開口に前記左ライトを配置してある請求項１から７の何れか一項に記載の刈取収穫機。
【発明の詳細な説明】
【技術分野】
【０００１】
本発明は、刈取収穫機に関する。
【背景技術】
【０００２】
【特許文献１】実開昭６３−２３１４３号公報（第１，２，３図）
【特許文献２】特開平７−２８９０５８号公報（図１，３，４，５）
【発明の開示】
【課題を解決するための手段】
【０００３】
［Ｉ］
（構成）
本発明の第１特徴は、  機体の前部に運転部を備えると共に、前記運転部の前側に、引き起し装置を有する刈取部を備えた刈取収穫機であって、前記引き起し装置の前記運転部の側の上部の横外隣りに、側面視で引き起し装置の上部と重複する状態で、前照灯、方向指示器及び車幅灯として機能する縦長の右ライトを配設すると共に、前記引き起し装置の前記運転部とは反対側の上部の横外隣りに、側面視で引き起し装置の上部と重複する状態で、前照灯、方向指示器及び車幅灯として機能する縦長の左ライトを配設し、前記最も右側に位置する引き起し装置の横外側に連設されて前記最も右側に位置する引き起し装置の右外側を覆う右カバーを、前記右ライトが前記右カバーの上部の横外側面に沿うように構成すると共に、前記最も左側に位置する引き起し装置の横外側に連設されて前記最も左側に位置する引き起し装置の左外側を覆う左カバーを、前記左ライトが前記左カバーの上部の横外側面に沿うように構成し、前記右ライト及び前記左ライトの夫々は、前照灯を構成する複数のバルブと、前記複数のバルブの各々に対応する複数のリフレクタと、方向指示器を構成するバルブと、車幅灯を構成するバルブと、全ての前記バルブ及び前記リフレクタを前方から覆う一つの透明カバーと、を備え、前記透明カバーは、機体前方に向く前面部と、前記前面部と連続的に形成され、機体横外方向に向く側面部とを有し、前記右ライト及び前記左ライトの夫々において、前記複数のバルブのうちの一つのバルブと、前記複数のバルブのうちの別のバルブとを、前記透明カバーの内部に上下方向に位置ずれした状態で配備し、かつ、前記一つのバルブの光の向きと、前記別のバルブの光の向きとが異なるものとなるように、前記一つのバルブの向き又は前記別のバルブの向き又は前記リフレクタの向きを設定していることにある。
【０００４】
［ＩＩ］
本発明の第２特徴は、前記右カバーの上に前記右ライトを配置すると共に、前記左カバーの上に前記左ライトを配置してあることにある。
【０００５】
［ＩＩＩ］
本発明の第３特徴は、前記右ライトにおける前記透明カバーの前記側面部を、前記右カバーの外側面に沿うように構成すると共に、前記左ライトにおける前記透明カバーの前記側面部を、前記左カバーの外側面に沿うように構成してあることにある。
［ＩＶ］
本発明の第４特徴は、前記透明カバーの前記前面部は、側面視において、前記引き起し装置の前面に沿うように形成してあることにある。
［Ｖ］
本発明の第５特徴は、前記右ライトにおける前記透明カバーの前記前面部は、側面視において、前記右カバーの前面に沿うように形成してあり、かつ、前記左ライトにおける前記透明カバーの前記前面部は、側面視において、前記左カバーの前面に沿うように形成してあることにある。
［ＶＩＩ］
本発明の第６特徴は、前記右ライトは、前記前照灯を構成するバルブが前記刈取部の前記運転部の側のデバイダを照射するように構成してあり、かつ、前記左ライトは、前記前照灯を構成するバルブが前記刈取部の前記運転部とは反対側のデバイダを照射するように構成してあることにある。
【０００６】
［ＶＩＩ］
本発明の第７特徴は、前記右ライトは、前記運転部の前方に位置させてあることにある。
【０００７】
［ＶＩＩＩ］
本発明の第８特徴は、前記右カバーに形成された開口に前記右ライトを配置すると共に、前記左カバーに形成された開口に前記左ライトを配置してあることにある。
【発明を実施するための最良の形態】
【０００８】
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にグレンタンク５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてグレンタンク５に貯留される。
【０００９】
図１，２，３に示すように、機体に上下揺動自在に支持された主フレーム６に、刈取部２の全体が支持されており、主フレーム６を昇降駆動する昇降シリンダ７が備えられている。刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１０】
図１及び図２に示すように、内部にスクリュー（図示せず）を備えたアンローダ１２がグレンタンク５の後部に備えられており、スクリューが回転駆動されることにより、グレンタンク５の収穫物が搬送され、アンローダ１２の吐出口１２ａから排出される。アンローダ１２は横軸芯Ｐ１周りに上下に昇降駆動自在に構成され、縦軸芯Ｐ２周りに旋回駆動自在に構成されている。図１及び図２に示す状態は、運転部３の後部に備えられた受け台１７にアンローダ１２を乗せた状態であり、アンローダ１２を格納位置に配置した状態である。アンローダ１２を格納位置から上昇駆動し、横外側に旋回駆動することにより、トラック（図示せず）の荷台にグレンタンク５の収穫物を排出する。
【００１１】
図１及び図３に示すように、刈取部２の右及び左側部の上部に、本発明に係る「右カバー」及び「左カバー」としてのカバー１６が備えられており、右及び左のカバー１６に、本発明に係る「右ライト」及び「左ライト」としての右及び左のライト２０が備えられている。右及び左のライト２０は、上及び下のバルブ２２，２３、上及び下のバルブ２２，２３に対するリフレクタ（反射板）２４，２５、これらを覆う透明のカバー２１（本発明の「透明カバー」に相当する）等を備えて構成されている。
【００１２】
図１及び図３に示すように、右及び左のカバー１６の前部１６ａ及び横部１６ｂに亘る角部に開口部（本発明に係る「開口」に相当）が形成されて、右及び左のカバー１６の開口部に右及び左のライト２０が嵌め込まれるように固定されている。カバー２１の前面（本発明に係る「前面部」に相当）が右及び左のカバー１６の前部１６ａ及び引き起し装置１３の前面と略同一面（又はカバー２１の前面が右及び左のカバー１６の前部１６ａ及び引き起し装置１３の前面よりも少し後側）に位置するように構成されており、カバー２１の横面（本発明に係る「側面部」に相当）が右及び左のカバー１６の横部１６ｂと略同一面に位置するように構成されている。なお、前部１６ａが本発明に係る「右カバーの前面」及び「左カバーの前面」に相当し、横部１６ｂが本発明に係る「右カバーの外側面」及び「左カバーの外側面」に相当する。
【００１３】
図３に示すように右のライト２０において、上のバルブ２２及びリフレクタ２４が右のライト２０の左右中央から右側（刈取部２の横外側）に位置し、下のバルブ２３及びリフレクタ２５が右のライト２０の左右中央から左側（刈取部２の左右中央側）に位置している。リフレクタ２４は上のバルブ２２の光を前方に反射するように構成され、リフレクタ２５は下のバルブ２５の光を右斜め前方及び斜め下方に反射するように構成されている。これにより、刈取部２を地面に位置させている状態において、右のライト２０の上のバルブ２２の照射範囲ＲＤ１及び下のバルブ２３の照射範囲ＲＤ２は、図５（ａ）及び図６に示すような状態となるのであり、右のライト２０の下のバルブ２３によりデバイダ８が照射されている。
【００１４】
図３に示すように左のライト２０において、上のバルブ２２及びリフレクタ２４が左のライト２０の左右中央から左側（刈取部２の横外側）に位置し、下のバルブ２３及びリフレクタ２５が左のライト２０の左右中央から右側（刈取部２の左右中央側）に位置している。リフレクタ２４は上のバルブ２２の光を前方に反射するように構成され、リフレクタ２５は下のバルブ２５の光を左斜め前方及び斜め下方に反射するように構成されている。これにより、刈取部２を地面に位置させている状態において、左のライト２０の上のバルブ２２の照射範囲ＬＤ１及び下のバルブ２３の照射範囲ＬＤ２は、図５（ａ）及び図６に示すような状態となるのであり、左のライト２０の下のバルブ２３によりデバイダ１０が照射されている。
【００１５】
図６に示すように、刈取部２を地面に位置させている状態において、右のライト２０の上のバルブ２２の照射範囲ＲＤ１の左側部分と、左のライト２０の上のバルブ２２の照射範囲ＬＤ１の右側部分とが、刈取部２の前方で重なり合っている。この場合に、重なり合う部分ＡＤが、刈取部２の中央の所定の近距離（例えば２メートル程度）から前方に位置する状態となる。図５（ａ）に示すように、刈取部２を地面に位置させている状態において、右及び左のライト２０の上及び下のバルブ２２，２３の照射範囲ＲＤ１，ＲＤ２，ＬＤ１，ＬＤ２は斜め前方下方に向いている。
【００１６】
図５（ｂ）に示すように、刈取部２を上限位置まで上昇駆動すると、右及び左のライト２０の上及び下のバルブ２２，２３の照射範囲ＲＤ１，ＲＤ２，ＬＤ１，ＬＤ２は、略前方を向く状態となる。この場合、前述の重なり合う部分ＡＤ（図６参照）が、刈取部２の中央の所定の遠距離（例えば８メートル程度）から前方に位置する状態となる。
【００１７】
図１及び図２に示すように、アンローダ１２の吐出口１２ａの前側部にライト１８が下向きに取り付けられており、ライト１８を上側から覆うカバー２６が備えられている。受け台１７にアンローダ１２を乗せた状態（アンローダ１２を格納位置に配置した状態）において、アンローダ１２の吐出口１２ａがデバイダ９，１１の前方上方の付近に位置している。これにより、刈取部２の中央直前の範囲ＳＤ（前述の重なり合う部分ＡＤと刈取部２との間の付近）（図６参照）が、アンローダ１２のライト１８によって照射される。
【００１８】
図４に示すように、運転部３にライトスイッチ１９が備えられている。ライトスイッチ１９をＯＮ２位置に操作すると、右及び左のライト２０の上及び下のバルブ２２，２３が点灯し、アンローダ１２のライト１８が点灯する。ライトスイッチ１９をＯＮ１位置に操作すると、右及び左のライト２０の下のバルブ２３が点灯して、右及び左のライト２０の上のバルブ２２が消灯し、アンローダ１２のライト１８が点灯する。ライトスイッチ１９をＯＦＦ位置に操作すると、右及び左のライト２０の上及び下のバルブ２２，２３が消灯し、アンローダ１２のライト１８が消灯する。
【００１９】
コンバインでは例えば図２に示すように、刈取部２の運転部３とは反対側が未刈り側Ａ１（作物がまだ刈り取られていない側）となり、刈取部２の運転部３側が既刈り側Ａ２（作物が既に刈り取られた側）となる。この場合、デバイダ９，１０，１１は作物の株元付近に位置し作物よって隠れている状態で、運転部３からデバイダ９，１０，１１を目視できない状態である。これに対して、未刈り側Ａ１の作物における既刈り側Ａ２の端部の列Ｂ１の横外側にデバイダ８が位置しており、運転部３からデバイダ８を目視することができるのであり、未刈り側Ａ１の作物における既刈り側Ａ２の端部の列Ｂ１とデバイダ８との位置関係を目視しながら、運転部３の操縦者はコンバインの運転を行う。
この場合、右のライト２０の上及び下のバルブ２２，２３により、未刈り側Ａ１の作物における既刈り側Ａ２の端部の列Ｂ１が照射されるようになるので、未刈り側Ａ１の作物における既刈り側Ａ２の端部の列Ｂ１を目視しながらの運転が行い易くなる。
【００２０】
［発明の実施の第１別形態］
前述の［発明を実施するための最良の形態］に代えて、図７及び図８に示すように構成してもよい。
図７に示すように右のライト２０において、上のバルブ２２及びリフレクタ２４が右のライト２０の左右中央から左側（刈取部２の左右中央側）に位置し、下のバルブ２３及びリフレクタ２５が右のライト２０の左右中央から右側（刈取部２の横外側）に位置している。リフレクタ２４は上のバルブ２２の光を前方に反射するように構成され、リフレクタ２５は下のバルブ２５の光を右斜め前方及び斜め下方に反射するように構成されている。これにより、刈取部２を地面に位置させている状態において、右のライト２０の上のバルブ２２の照射範囲ＲＤ１及び下のバルブ２３の照射範囲ＲＤ２は、図５（ａ）及び図８に示すような状態となるのであり、右のライト２０の下のバルブ２３によりデバイダ８が照射されている。
【００２１】
図７に示すように左のライト２０において、上のバルブ２２及びリフレクタ２４が左のライト２０の左右中央から右側（刈取部２の左右中央側）に位置し、下のバルブ２３及びリフレクタ２５が左のライト２０の左右中央から左側（刈取部２の横外側）に位置している。リフレクタ２４は上のバルブ２２の光を前方に反射するように構成され、リフレクタ２５は下のバルブ２５の光を左斜め前方及び斜め下方に反射するように構成されている。これにより、刈取部２を地面に位置させている状態において、左のライト２０の上のバルブ２２の照射範囲ＬＤ１及び下のバルブ２３の照射範囲ＬＤ２は、図５（ａ）及び図８に示すような状態となるのであり、左のライト２０の下のバルブ２３によりデバイダ１０が照射されている。
【００２２】
【００２３】
【００２４】
【００２５】
【００２６】
［発明の実施の第２別形態］
前述の［発明を実施するための最良の形態］［発明の実施の第１別形態］において、ライト２０に３個以上のバルブ２２，２３及びリフレクタ２４，２５を備えるように構成したり、ライト２０に方向指示器（図示せず）や車幅灯（図示せず）を備えるように構成してもよい。ライト２０のカバー２１は無色透明のものばかりではなく、薄く着色（例えば薄い黄色）された半透明のものでもよい。
【図面の簡単な説明】
【００２７】
【図１】コンバインの全体側面図
【図２】コンバインの全体平面図
【図３】刈取部の正面図
【図４】ライトスイッチの平面図
【図５】刈取部を地面に位置させている状態及び刈取部を上限位置まで上昇駆動した状態での刈取部の付近の側面図
【図６】右及び左のライトの照射範囲を示す平面図
【図７】発明の実施の第１別形態の刈取部の正面図
【図８】発明の実施の第１別形態の右及び左のライトの照射範囲を示す平面図
【図９】発明の実施の第２別形態の刈取部の正面図
【符号の説明】
【００２８】
２          刈取部
３          運転部
８          デバイダ
１３        引き起し装置
１６        カバー（右カバー，左カバー）
１６ａ      前部（右カバーの前面，左カバーの前面）
１６ｂ      横部（右カバーの外側面，左カバーの外側面）
２０        ライト（右ライト，左ライト）
２１        カバー（透明カバー）
２２，２３  バルブ
２４，２５  リフレクタ
【図１】
0005318500.tif 000002
【図２】
0005318500.tif 000003
【図３】
0005318500.tif 000004
【図４】
0005318500.tif 000005
【図５】
0005318500.tif 000006
【図６】
0005318500.tif 000007
【図７】
0005318500.tif 000008
【図８】
0005318500.tif 000009
【図９】
0005318500.tif 000010